(57)【要約】【課題】親綱を堅牢に支えて安全に足場の組立・解体を行うことができる足場拠点ブロックによる枠組足場の組立・解体方法を提供する。【解決手段】同じ層の多数の足場ブロック１のうち適当な間隔を隔てた少なくとも２つの足場ブロック１を拠点スパン１ａとし、この拠点スパン１ａの最上層より上層に先行して組み立てた足場ブロック１を拠点足場ブロック５として、これら拠点足場ブロック５間であって、しかも足場ブロック１の幅から外方に親綱６を展張し、該親綱６に作業者の命綱を移動可能に連結させて、拠点足場ブロック５間の足場ブロックを組立または解体する。【選択図】図５
2005180011.tif 000002
【特許請求の範囲】
【請求項１】
同じ層の多数の足場ブロックのうち適当な間隔を隔てた少なくとも２つの足場ブロックを拠点スパンとし、この拠点スパンの最上層より上層に先行して組み立てた足場ブロックを拠点足場ブロックとして、これら拠点足場ブロック間であって、しかも足場ブロックの幅から外方に親綱を展張し、該親綱に作業者の命綱を移動可能に連結させて、拠点足場ブロック間の足場ブロックを組立または解体することを特徴とする足場拠点ブロックによる枠組足場の組立・解体方法。
【請求項２】
上記拠点足場ブロックにガイド金具を取り付け、該ガイド金具の２つのシーブ間に親綱を挿通させ、該親綱の端部に取り付けた親綱フックを足場ブロックに掛け止めて展張することを特徴とする請求項１に記載の足場拠点ブロックによる枠組足場の組立・解体方法。
【請求項３】
枠組足場の最上層の足場ブロックのうち、適当な間隔を隔てた拠点スパンの足場ブロックに中間作業床を設置して、該中間作業床の上に乗って、その上層の拠点足場ブロックを組立または解体することを特徴とする足場拠点ブロックの組立・解体方法。
【請求項４】
上記適当な間隔を隔てた足場ブロックの一方の建枠に下段梯子型ブラケットを取り付けると共に、他方の建枠に上段梯子型ブラケットを取り付け、これらブラケットの掛止杆を足場ブロックの中間の同じ高さに位置せしめ、これら掛止杆に上記中間作業床の両端を掛け止めることを特徴とする請求項３に記載の足場拠点ブロックの組立・解体方法。
【請求項５】
上記中間作業床の上に補助中間作業床を設置することを特徴とする請求項３または４に記載の足場拠点ブロックの組立・解体方法。
【発明の詳細な説明】
【技術分野】
【０００１】
本発明は、足場拠点ブロックによる枠組足場の組立・解体方法、および足場拠点ブロックの組立・解体方法に関するものである。
【背景技術】
【０００２】
従来の枠組足場の組立方法としては、枠組足場の最上層の建枠から上層に向けて複数の支柱を立設し、これらの支柱間に親綱を展張し、この親綱に安全帯命綱のフックを掛けて、足場の組立を安全に行うようにしたものがあった。（例えば、特許文献１参照）
【０００３】
しかし、上記特許文献１の従来技術は、親綱を支える支柱の強度が不十分で、折れ曲がったり、破損する恐れがあり、安全に足場の組立・解体を行うことができない等の欠点があった。また従来、強度が十分で安全に足場の組立・解体を行うことができる親綱用支持手段がなかった。
【特許文献１】特開平１１−３６６０４号公報
【発明の開示】
【発明が解決しようとする課題】
【０００４】
本発明が解決しようとする課題は、親綱を堅牢に支えて安全に足場の組立・解体を行うことができる足場拠点ブロックによる枠組足場の組立・解体方法を提供することにある。また、本発明が解決しようとする別の課題は、親綱を堅牢に支えることができる親綱用支持手段を安全に組立および解体することができる方法、すなわち足場拠点ブロックの組立・解体方法を提供することにある。
【課題を解決するための手段】
【０００５】
本発明は、同じ層の多数の足場ブロックのうち適当な間隔を隔てた少なくとも２つの足場ブロックを拠点スパンとし、この拠点スパンの最上層より上層に先行して組み立てた足場ブロックを拠点足場ブロックとして、これら拠点足場ブロック間であって、しかも足場ブロックの幅から外方に親綱を展張し、該親綱に作業者の命綱を移動可能に連結させて、拠点足場ブロック間の足場ブロックを組立または解体することを特徴とする。また、上記拠点足場ブロックにガイド金具を取り付け、該ガイド金具の２つのシーブ間に親綱を挿通させ、該親綱の端部に取り付けた親綱フックを足場ブロックに掛け止めて展張することを特徴とする。さらに、枠組足場の最上層の足場ブロックのうち、適当な間隔を隔てた拠点スパンの足場ブロックに中間作業床を設置して、該中間作業床の上に乗って、その上層の拠点足場ブロックを組立または解体することを特徴とする。又更に、上記適当な間隔を隔てた足場ブロックの一方の建枠に下段梯子型ブラケットを取り付けると共に、他方の建枠に上段梯子型ブラケットを取り付け、これらブラケットの掛止杆を足場ブロックの中間の同じ高さに位置せしめ、これら掛止杆に上記中間作業床の両端を掛け止めることを特徴とする。更にまた、上記中間作業床の上に補助中間作業床を設置することを特徴とするものである。
【発明の効果】
【０００６】
１）親綱を堅牢な拠点足場ブロックにより支えるようにしたので、極めて安全かつ能率良く組立・解体作業を行うことができる。
２）最上層の足場ブロックに中間作業床や補助中間作業床を設けて、この筋交に挟まれた足場ブロックで拠点足場ブロックを組み立て又は解体するので、拠点足場ブロックを安全を確保しながら組立および解体することができる。
【発明を実施するための最良の形態】
【０００７】
図１は枠組足場の正面図であって、建枠１−１と筋交１−２と足場板１−３から成る１層１スパンの足場ブロック１を、上下左右に組み付けて構成されている。この枠組足場の適当な距離を隔てた拠点スパン１ａの最上層の足場ブロック１に中間作業床２を設置する。
【０００８】
図２は、上記中間作業床２の設置方法を説明する図であって、一方の建枠１−１の建枠の天端横架材に下段梯子型ブラケット３を掛け止めると共に、他方の建枠１−１に建枠の天端横架材に上段梯子型ブラケット４を掛け止め、これらブラケット３および４のスライド式掛止杆３ａおよび４ａに、上記中間作業床２の両端を掛け止めるようになっている。これらのスライド式掛止杆３ａおよび４ａは建枠１−１の中間、例えば上端から９００ｍｍに位置して、中間作業床２を水平状態に設置する。３ｂおよび４ｂはステップ杆である。２′は水平手摺であって、両端の環体２′−１を建枠１−１の天端に差し込んで取り付ける。上記スライド式掛止杆３ａおよび４ａは、盛換えの際に、足場板のツメの間を抜けることができるように、両端部がスライド式に伸縮するようになっているが、本発明の掛止杆はこれに限定するものではない。
【０００９】
中間作業床２の設置が完了したら、図３に示すように、この中間作業床２の上に乗って、１層１スパンの拠点足場ブロック５を設置する。図４は、拠点足場ブロック５の設置作業の説明図である。まず、予め筋交１−２を取り付けた状態で建枠１−１を、下層の建枠１−１上に接続する（図４（Ｂ）参照）。続いて、筋交１−２の下端を他方の建枠１−１に接続して、足場ブロックを設置する。
【００１０】
拠点ブロック５の設置が完了すると、図５に示すように、２つの拠点ブロック５間に親綱６を取り付ける。図６は、親綱６の取り付け状態を説明する図である。６ａは、親綱６の端部を枠組足場に掛け止める親綱フックであり、６ｂは、親綱６を緊張する緊張器である。７はガイド金具であって拠点足場ブロック５の両側の建枠にそれぞれ取り付けられる。図６（Ｂ）に示すように、取付基部７ａと控部７ｂとシーブ取付枠７ｃと２つのシーブ７ｄから成る。親綱６は２つのシーブ７ｄ間に挿設される。シーブ７ｄは控部７ｂにより足場の幅から両側外方に、例えば１００〜１５０ｍｍ程度離れて、展張される。作業員が転落して、親綱６に荷重がかかった時に、この荷重は上記ガイド金具７と親綱フック６ａにより負担される。
【００１１】
上記実施例では、予め筋交１−２を取り付けた状態で建枠１−１の取り付け作業を行うようにしたが、建枠１−１を取り付けた後、筋交１−２を取り付るようにしてもよい。この場合、図７に示すように、上記中間作業床２の上に補助中間作業床８を設置して、この補助中間作業床８上に乗って筋交１−２を取り付けるようにしてもよい。補助中間作業床８は上記ブラケット３、４間に差し渡した案内杆８ａにスライド自在に設置される。
【００１２】
また、上記中間作業床２は上記拠点ブロック５が完成した時点、から、該拠点ブロック５の層の全ての足場ブロック１が完成した時点、までの何れかの時点で撤去して、上層の足場ブロック１すなわち、上記拠点ブロック５に盛り替えて設置する。
【００１３】
上記説明では、足場の組立について説明したが、手順を逆に行うことにより、足場の解体を安全に行うことができる。この解体作業に際して、足場拠点ブロックに簡易な揚重装置を設置し、これにより該足場拠点ブロックに集めた解体足場材を地上に降ろすようにしてもよい。
【図面の簡単な説明】
【００１４】
【図１】枠組足場の正面図である。
【図２】中間作業床の設置方法の説明図である。
【図３】拠点足場ブロックの設置作業の説明図である。
【図４】図３の詳細説明図である。
【図５】親綱の取り付け説明図である。
【図６】図５の詳細説明図である。
【図７】補助中間作業床の設置方法の説明図である。
【符号の説明】
【００１５】
１    足場ブロック
１ａ  拠点スパン
１−１  建枠
１−２  筋交
１−３  足場板
２    中間作業床
３    下段梯子型ブラケット
３ａ  スライド式掛止杆
３ｂ  ステップ杆
４    上段梯子型ブラケット
４ａ  スライド式掛止杆
４ｂ  ステップ杆
５    拠点足場ブロック
６    親綱
６ａ  親綱フック
６ｂ  緊張器
７  ガイド金具
７ａ  取付基部
７ｂ  控部
７ｃ  シーブ取付枠
７ｄ  シーブ
８    補助中間作業床
８ａ  案内杆
【図１】
2005180011.tif 000003
【図２】
2005180011.tif 000004
【図３】
2005180011.tif 000005
【図４】
2005180011.tif 000006
【図５】
2005180011.tif 000007
【図６】
2005180011.tif 000008
【図７】
2005180011.tif 000009